Podtech/llm-jp-corpus-v4-ja_patent huggingface dataset:
(57)【要約】【課題】カップや容器、あるいは食品用三角袋等をテイクアウトする場合、使用時、容易かつ安全に安定保持でき、安価な手提袋を提供することを課題とする。【解決手段】手提袋本体Ａの側面１、２は糊貼り又は熱シール部ａ、ｂ、ｃ、ｄが設けられており、側面１と２は部分的に熱接着または糊貼りされ一体化している。糊貼り又は熱シールａとｂの間に出来た空間には、食品用三角袋Ｄを容易に差し込め安定保持出来る。また、サイズの異なる物や紙カップＥを安定保持させたい場合は、糊貼り又は熱シールのｃ、ｄの巾やサイズを変える事で同様に安定保持出来る。これは容易で安全に安定保持でき、しかも安価な手提袋。【選択図】  図１
2006089101.tif 000002
【特許請求の範囲】
【請求項１】
紙またはラミネートされた紙、あるいは熱可塑性のあるフィルム及び不織布で形成された袋を、それに入れる内容物が安定保持出来るように、袋の一部を糊貼り又は熱シールして、使用することを特徴とする手提袋。
【請求項２】
前記糊貼り又は熱シールは、単一又は複数、及びその位置や設定の大小により、異なる大きさのカップや食品用三角袋などを、安定保持出来る事を特徴とする請求項１記載の手提袋。
【発明の詳細な説明】
【技術分野】
【０００１】
この発明は、コーヒー等の飲料に用いる紙カップや瓶、缶または食品用三角袋などの安定保持に関する。
【背景技術】
【０００２】
従来の飲料用紙カップやクレープ用の袋等、飲料や食品持帰り用の袋はカップホルダーを使用したり、あるいはカップサイズや食品容器に合わせて抜き加工を行い安定保持を図ったものである。
【特許文献１】特開平６−２０６２６７号公報
【発明の開示】
【発明が解決しようとする課題】
【０００３】
しかしながら、以上の技術によれば、パルプモールド成型品や抜き加工したものはそれらを使用した上に手提袋を必要としたため、コストが高く付いた。
そこで、この発明は、袋自体にその機能を持たせ、使用時も簡単に安定保持でき、かさばらずコストも安くすむ物を提供することを課題とする。
【課題を解決するための手段】
【０００４】
以上の課題を解決するために、第一発明は、袋自体に糊貼り又は熱シールを行い、内容物を安定保持させることを特徴とする手提袋である。
また第二発明は、糊貼り又は熱シールを複数設けたり、その大きさを変えることにより、サイズの異なるカップや食品用三角袋を、ひとつで兼用できなおかつ安定保持できることを特徴とする手提袋である。
【発明の効果】
【０００５】
第一発明、または第二発明によれば、紙または熱可塑性のあるフィルム又は不織布に、内容物を安定保持出来るサイズに合った糊貼り又は熱シールをするだけで簡単に使用でき、構造も単純なので安価で製造可能となる。
【発明を実施するための最良の形態】
【０００６】
この発明の一実施形態を、図１に示す。
手提袋の本体Ａは紙またはフィルムあるいは不織布であり、この本体Ａの側面１にはａ、ｂ、ｃ、ｄの糊貼り又は熱シールが設けられており、これは側面２と糊貼り又は熱シールよって接着または固定されている。
【０００７】
「実施形態の効果」
この実施形態によれば、本体Ａに糊貼り又は熱シールａ、ｂを食品用三角袋Ｄが本体Ａの途中で止まるようにａ、ｂのサイズを設定することにより、側面１、側面２との間に空間枠ができ、ここに食品用三角袋Ｄを差し込めば安定保持出来る。また、サイズの異なる物や紙カップＥを安定保持させたい場合は、糊貼り又は熱シールのｃ、ｄの巾やサイズを変える事で同様に安定保持出来る。
【０００８】
「他の実施形態」
図１の実施形態では、サイズの異なる２つの物の安定保持が可能であるが、他の実施形態では本体Ａの袋サイズを変える事で３個以上の空間枠を作る事が可能となり、理論上では袋巾を大きく取れば無限大の安定保持空間を作ることが出来る。また上方サイズの空間を通り抜ける内容物であれば、手提袋下方に安定保持出来る糊貼り又は熱シールを設定し縦に増やすことでも同様の効果が得られる。
【図面の簡単な説明】
【０００９】
【図１】この発明の一実施形態を示す斜視図である。
【符号の説明】
【００１０】
Ａ  本体
１．２．本体側面
ａ．ｂ．ｃ．ｄ  側面糊貼り又は熱シール
Ｄ  食品用三角袋（仮想品）
Ｅ  紙カップ（仮想品）
【図１】
2006089101.tif 000003
(57)【要約】【課題】残存した内容物を保管しておく際、簡単に再封止して、内容物の鮮度を維持できる袋を提供する。【解決手段】袋本体１の内側片面に、深さ方向の中間部で開口部端縁に並行する粘着帯２を設け、この粘着帯２の粘着面を離型紙３で被覆し、袋本体１の両側部に、粘着帯２の両端に臨んで弧状縁をなす逃穴４を設けておき、内容物の減少に伴い、離型紙３を剥がし、露出した粘着帯２の粘着面を袋本体１の内側他面に貼り付けて、内容積を減少させた状態で再封止できるようにする。【選択図】図３
2006089107.tif 000002
【特許請求の範囲】
【請求項１】
袋本体の内側片面に、深さ方向の中間部で開口部端縁に並行する粘着帯を設け、この粘着帯の粘着面を離型紙で被覆し、袋本体の両側部に、粘着帯の両端に臨んで弧状縁をなす逃穴を設けておき、内容物の減少に伴い、離型紙を剥がし、露出した粘着帯の粘着面を袋本体の内側他面に貼り付けて、内容積を減少させた状態で再封止できるようにした再封止機能付袋。
【発明の詳細な説明】
【技術分野】
【０００１】
この発明は、野菜等の包装に使用する再封止機能付袋に関するものである。
【背景技術】
【０００２】
一般に、ジャガイモやニンジン等の野菜は、ポリプロピレン等のプラスチックフィルム製の袋に一定個数収納し、袋の開口部付近を粘着テープの巻き付けにより封止して、スーパー等の店頭で販売されている。
【０００３】
このように包装された野菜を購入した家庭では、一度に全ての野菜を使用することは稀であり、使い残した野菜を袋に収納したまま、袋を紐や輪ゴム等で縛って再封止し、野菜を乾燥や湿気から保護して、野菜の鮮度を維持するようにしている。
【発明の開示】
【発明が解決しようとする課題】
【０００４】
しかしながら、上記のように再封止するには、紐等を別途用意する必要があり、袋を縛るのにも手間がかかるという問題があった。
【０００５】
そこで、この発明は、残存した内容物を保管しておく際、簡単に再封止して、内容物の鮮度を維持できる袋を提供することを課題とする。
【課題を解決するための手段】
【０００６】
上記課題を解決するため、この発明は、袋本体の内側片面に、深さ方向の中間部で開口部端縁に並行する粘着帯を設け、この粘着帯の粘着面を離型紙で被覆し、袋本体の両側部に、粘着帯の両端に臨んで弧状縁をなす逃穴を設けておき、内容物の減少に伴い、離型紙を剥がし、露出した粘着帯の粘着面を袋本体の内側他面に貼り付けて、内容積を減少させた状態で再封止できるようにしたのである。
【発明の効果】
【０００７】
このような再封止機能付袋では、紐等で縛ることなく、粘着帯の離型紙を剥がして、袋本体の両面を密着させるだけで、内容積を減少させて再封止でき、残存した野菜を乾燥や湿気から保護することができる。
【０００８】
また、離型紙を剥がす際、粘着帯の両端に臨む逃穴により、袋本体の側部に作用する引張力が逃がされるので、袋本体の側部での破袋が防止される。
【発明を実施するための最良の形態】
【０００９】
以下、この発明の実施形態を添付図面に基づいて説明する。
【００１０】
図１に示すように、この再封止機能付袋の袋本体１は、ポリプロピレン等のプラスチックフィルムから成るものであり、その内側片面には、深さ方向の中間部で開口部端縁に並行する粘着帯２が設けられている。
【００１１】
この粘着帯２は、両面粘着テープの貼着やホットメルト接着剤の塗布により帯状に形成され、その粘着面は離型紙３で被覆されいている。袋本体１の両側部には、粘着帯２の両端に臨んで弧状縁をなす逃穴４が設けられている。
【００１２】
上記のような再封止機能付袋でジャガイモを包装して出荷する際には、図２に示すように、袋本体１に一定個数のジャガイモＰを収納し、袋本体１の開口部付近を粘着テープ５の巻き付けにより封止する。
【００１３】
そして、このように包装されたジャガイモＰを購入した家庭において、袋本体１を開封する際には、粘着テープ５を切断して、袋本体１を開口させ、その開口部を介して、料理に必要な個数のジャガイモＰを取り出す。
【００１４】
その後、使い残したジャガイモＰを保管しておくには、図３に示すように、離型紙３を剥がし、露出した粘着帯２の粘着面を、袋本体１の内側他面に貼り付け、図４に示すように、内容積を減少させた状態で、袋本体１を再封止する。
【００１５】
このように、上記のような再封止機能付袋では、粘着帯２の離型紙３を剥がして、袋本体１の両面を密着させるだけで、内容積を減少させて再封止でき、残存した野菜を乾燥や湿気から保護することができる。
【００１６】
また、離型紙３を剥がす際、粘着帯２の両端に臨んで弧状縁をなす逃穴４により、袋本体１の側部に作用する引張力が逃がされるので、袋本体１の側縁に沿ったシール部分での破袋が防止される。
【図面の簡単な説明】
【００１７】
【図１】この発明の実施形態に係る再封止機能付袋の内容物収納前の状態を示す図
【図２】同上の内容物を収納して封止した状態を示す斜視図
【図３】同上の再封止過程を示す斜視図
【図４】同上の再封止状態を示す斜視図
【符号の説明】
【００１８】
１  袋本体
２  粘着帯
３  離型紙
４  逃穴
Ｐ  ジャガイモ
【図１】
2006089107.tif 000003
【図２】
2006089107.tif 000004
【図３】
2006089107.tif 000005
【図４】
2006089107.tif 000006
(57)【要約】      （修正有） 【課題】埋立地に行くとまだ回収できない合成樹脂製品があり買い物袋は回収率が悪い。ペットボトルや合成樹脂製品は磁石に反応しないので従来手作業で選別していた。そこで機械選別可能な合成樹脂製品を提供する。【解決手段】ペットボトルや合成樹脂製品1を回収するのに一番良い方法は磁気を使って吸着する方法が簡単であると思われる。そこで樹脂に鉄分2を練り込んだり，あとずけで鉄分をつけたりして磁石に吸着可能に加工する方法による合成樹脂製品をここに提出する。【選択図】図１
2006089123.tif 000002
【特許請求の範囲】
【請求項１】
成型前の樹脂の原料に鉄分を入れ成型し磁石に吸着するように加工された合成樹脂製品  ペットボトル
【請求項２】
鉄分を成型後に取りつけ磁石に吸着されるように加工された合成樹脂製品  ペットボトル
【請求項３】
鉄分を含むように加工されたラベルや鉄のラベルをつけられ磁石に吸着されるように加工された合成樹脂製品  ペットボトル
【請求項４】
付属品や容器のふたに鉄分を含ませ磁石に吸着されるように加工された合成樹脂製品  ペットボトル
【請求項５】
鉄分を粉末状にしてペイントや接着剤に含ませ本体やラベルにつけ磁石に吸着できるように加工された合成樹脂製品  ペットボトル
【発明の詳細な説明】
【発明の詳細な説明】
【技術分野】
【０００１】  本発明は磁石に反応しない合成樹脂製品に鉄分を含有させたり付着させたりして磁石に吸着できるように加工した合成樹脂製品，ペットボトルに関する発明です。
【背景技術】
【０００２】  ペットボトルや合成樹脂製品は磁石に反応しないので従来手作業で選別をしていた，この方法の収集は時間と手間がかかり，また選別にもれたものは埋立地などのごみの中に混入してしまい回収率が悪かった。そこで磁石に吸着する鉄分を樹脂の中に溶け込ませたり，後ずけで鉄分を付着させて磁石に吸着するように加工した合成樹脂製品やペットボトルに関するものである
【発明の開示】
【発明が解決しようとする課題】
【０００３】  本発明は合成樹脂製品のように磁石に反応しないものに鉄分を含有させたり付着させたり，製品に付着させるラベルやペイント，接着剤に鉄分を含ませたり，ふたに鉄分を含ませておいたりして磁石で吸いつけ収集できるように加工された合成樹脂製品やペットボトルに関するものである。
埋立地などに収集漏れやかってはほとんど機械的に集められなっかた合成樹脂製品を磁石で集めるようにする加工方法である。また埋立する最終工程で磁石を通すことで選別もれも収集できる
【課題を解決するための手段】
【０００４】  ペットボトルや合成樹脂製品に鉄分を含ませる方法として以下に書く。合成樹脂の成型前の原料に鉄分を含有させ製品そのものに溶け込ます方法製品に鉄分を巻きつけたり付着させる方法。成型時に樹脂と金型の間に鉄分をはさみ成型時に鉄分を着ける方法。鉄のラベルや鉄分を含んだラベルを着ける方法。鉄分を含んだペイントや接着剤で書き込みをしたり接着剤を着けたりする方法。買い物袋などは鉄分を含んだペイントでものを書く方法。付属品やふたに鉄分を同じように含ませておく方法などがある。
【発明の効果】
【０００５】  本発明の効果として収集してきた合成樹脂製品を機械的に収集でき更に収集もれしても埋立地に行く前更に磁石を通せば埋立地で舞う買い物袋も鉄分の入った印刷インクによって磁石で回収できるしペットボトルも再回収ができる。再利用は鉄と樹脂の融点や質量の違い磁石に吸着する性質を使って鉄分と合成樹脂とに分離して再利用する。
【発明を実施するための最良の形態】
【０００６】  鉄分を含ませるには樹脂に含有させるには細かい鉄粉にして含ませる。
外につけるには鉄片にして接着剤で付けたり，リンク状にして蒔きつけたりかぶしたりする。また収縮するラベルの間にはさむ。ラベルや本体に書くインクやペイントには鉄粉を含ませておくと磁石に吸着される。接着剤に鉄分を含ませておいてもおなじ効果がある。成型時に樹脂と金型の間に鉄分をはさみ成型と同時に鉄分を付着させる方法もある。また鉄分を含んだテープやシ−ルをつけても同じ効果がある。鉄製品と分離するには磁石の強弱，比重の違いなど物質の特性を使う。
【実施例１】
【０００７】  合成樹脂製品やペットボトルの成型前の原料に鉄分を含有させておき成型した時点で鉄分が含有されている方法。
【実施例２】
【０００８】  合成樹脂製品やペットボトルにあとずけで鉄をまきつけたり接着剤で付けたりラベルの間にはさんだり，成型時に金型と樹脂の間に鉄分をはさみ鉄分を付着させる方法
【実施例３】
【０００９】  装着するラベルが鉄であったり鉄分を含んでいる方法
【実施例４】
【００１０】  合成樹脂製品やペットボトルのラベルや本体に字や絵や広告を書くペイントやインクやまた接着剤に鉄分を含ませておく方法
【実施例５】
【００１１】  装着品，付属品やテ−プやシ−ルに鉄分を含ませ装着する方法
【産業上の利用可能性】
【００１２】  資源の枯渇が叫ばれ重油の値上がりなどで各企業に資源の再利用が義務ずけられ今後ますます企業責任が叫ばれ再利用率向上が製造メ−カ−のイメ−ジアップにつながる時代が来ている。またＩＣチップを埋め込んでおくと機械的に集めると回収率が簡単に出せる利点もある。収集したものは物質の性質の違い比重，融点，磁石吸着を使って分離でき再利用できる。
【図面の簡単な説明】
【００１３】
【図１】容器の断面図で鉄分が入っている断面図
【図２】鉄を容器の一部につけた平面図
【図３】鉄を含んだラベルを着けた平面図
【図４】鉄分の入ったペイントで描いた平面図
【符号の説明】
【００１４】１  合成樹脂製品
２  鉄分
３  鉄分を含んだラベル
４  鉄分を含んだペイント
【図１】
2006089123.tif 000003
【図２】
2006089123.tif 000004
【図３】
2006089123.tif 000005
【図４】
2006089123.tif 000006
(57)【要約】【目的】  ペットボトル等で、飲料する直前まで「粉末」・「エキス」と「水」等を分離した状態で密封でき、飲料する直前に混ぜ合わせて、飲料出来る容器はないかと考えたものである。【構成】  上面が解放され展張部（４）、切り込み（５）等の分離部と拡大部（６）を有する小容器（１）、その小容器を口（７）に入れる本体容器（２）と小容器の展張された展張部を保持する保持部（８）を蓋裏に有する蓋（３）からなる２容器のある蓋付き容器で、本体容器に水等に主要液体を充填し、その本体容器に展張部が開いていない状態の小容器を本体容器の口に挿入し、小容器の拡大部に圧力を加える等をして本体容器の肩部（９）付近で、口より径を大きくした後、小容器に粉末・エキス等を充填した後、蓋を閉めることにより、小容器の展張部が切断箇所（１０）等で広がり保持部に食い込み製品として完成する充填方法【選択図】  図５
2006089130.tif 000002
【特許請求の範囲】
【請求項１】
上面が解放され展張部（４）、切り込み（５）等の分離部と拡大部（６）を有する小容器（１）、その小容器を口（７）に入れる本体容器（２）と小容器の展張された展張部を保持する保持部（８）を蓋裏に有する蓋（３）からなる２容器のある蓋付き容器
【請求項２】
本体容器に水等の主要液体を充填し、その本体容器に展張部が開いていない状態の小容器を本体容器の口に挿入し、小容器の拡大部に圧力を加える等をして本体容器の肩部（９）付近で、口より径を大きくした後、小容器に粉末・エキス等を充填した後、蓋を閉めることにより、小容器の展張部が切断箇所（１０）等で広がり保持部に食い込む請求項１を使用しての充填方法
【発明の詳細な説明】
【発明の詳細な説明】
【産業上の利用分野】
【０００１】    飲料直前に性質の違う「粉末やエキス」と「水」等を混ぜ合わせる２容器を保有する容器及び充填方法に関するものである。
【背景技術】
【０００２】    飲料直前まで密封され、飲料する際、「粉末やエキス」と「水」等を混ぜ合わせて飲むことが出来る容器はなかった。
【発明が解決しようとする課題】
【０００３】    ペットボトル等で、飲料する直前まで「粉末」・「エキス」と「水」等を分離した状態で密封でき、飲料する直前に混ぜ合わせて、飲料出来る容器はないかと考えたものである。
【課題を解決するための手段】
【０００４】    上面が解放され展張部（４）、切り込み（５）等の分離部と拡大部（６）を有する小容器（１）、その小容器を口（７）に入れる本体容器（２）と小容器の展張された展張部を保持する保持部（８）を蓋裏に有する蓋（３）からなる２容器のある蓋付き容器で、本体容器に水等に主要液体を充填し、その本体容器に展張部が開いていない状態の小容器を本体容器の口に挿入し、小容器の拡大部に圧力を加える等をして本体容器の肩部（９）付近で、口より径を大きくした後、小容器に粉末・エキス等を充填した後、蓋を閉めることにより、小容器の展張部が切断箇所（１０）等で広がり保持部に食い込み製品として完成する充填方法
この方法により、小容器は本体肩部に拡大部が大きくなることにより口より大きくなり、蓋を開ける上に働く力により、小容器は切り込み等の分離部で別れ、小容器の充填物が本体容器に入り、飲料直前にまで合わせることが出来る。
【作用】
【０００５】  蓋を閉めた状態で、本体容器に入った充填物と小容器に入った粉末やエキス等が、分離した状態で、一つの容器に存在する。
飲料する前に、蓋を開けるその力が、本体容器の肩部に、小容器の拡大部が引っかかり、切り込みで切り離され、本体容器内へ「小容器の内容物」を混入し、混ぜ合わせた後飲料出来る。
【実施例１】
【０００６】    上面が解放され展張部（４）、切り込み（５）の分離部と拡大部（６）を有する小容器（１）、その小容器を口（７）に入れる本体容器（２）と小容器の展張された展張部を保持する保持部（８）を蓋裏に有する蓋（３）からなる２容器のある蓋付き容器
【実施例２】
【０００７】    本体容器に水等に主要液体を充填し、その本体容器に展張部が開いていない状態の小容器を本体容器の口に挿入し、小容器の拡大部に圧力を加える等をして本体容器の肩部（９）付近で、口より径を大きくした後、小容器に粉末・エキス等を充填した後、蓋を閉めることにより、小容器の展張部が切断箇所（１０）等で広がり保持部に食い込む請求項１を使用しての充填方法
【発明の効果】
【０００８】  １  ２容器を保有しているので、小容器と本体容器の別々の内容物を保持でき、かつ、飲料直前にそれぞれの内容物を混ぜ合わせることが出来る。
２  本体容器に充填した後、小容器を挿入して、小容器の拡大部を拡大し、本体容器の肩部に引っかけ、蓋を閉め展張部を蓋に食い込ませ、飲料する前に蓋を取る行為で、小容器を切り込み部で分離できる。
【図面の簡単な説明】
【図１】    本発明の組み立てた正面図
【図２】    本発明の組み立てた平面図
【図３】    実施例１の組み立て前の小容器の拡大斜視図
【図４】    実施例１の組み立て前の小容器のＡ−Ａ’断面図
【図５】    実施例１の組み立てたＢ−Ｂ’の上部側の拡大断面図
【符号の説明】
１  小容器
２  本体容器
３  蓋
４  展張部
５  切り込みの分離部
６  拡大部
７  口
８  保持部
９  肩部
１０  切断箇所
【図１】
2006089130.tif 000003
【図２】
2006089130.tif 000004
【図３】
2006089130.tif 000005
【図４】
2006089130.tif 000006
【図５】
2006089130.tif 000007
(57)【要約】      （修正有）【課題】ボトル等容器の上部に混入目的物を密閉内蔵し、飲用等使用直前に投下撹拌し、使用飲用することができる容材収納付キャップ・ボトルの提供。【解決手段】キャップ２内に混入目的物を収容した収容筒６を配し、上部に切開用三角刃５を取り付けたジャバラ４を設置する。飲用等直前にカバー１を外しジャバラを押し下げてラミネートシート７，８を切開し混入目的物をボトル等容器内の水等に投下使用する。【選択図】図２
2006089127.tif 000002
【特許請求の範囲】
【請求項１】
混入目的物を収納し、その混入物を受けるボトル等容器内の水等の液体と分離させ飲用使用時寸前に投下できるようにした収納部付キャップ
【請求項２】
請求項１の収納部を人為的に作用して、収納部のラミネート部分を押し出して切開して投入物を投下させる。ジャバラ等の押し出し刃内蔵収納部
【請求項３】
収納物をラミネートするシートを確実に開き投入させる目的の構造の大小の正三方三角刃の使用
【請求項４】
上述の目的を達成させ、又飲食等の衛生面も解決する為の受容器等内の水等の湿気並雑菌防止目的の遮断用ラミネートシート
【請求項５】
請求項２のボトル上部に設置したジャバラ状等の押し出し目的の部分をカバーするキャップは飲食時にはコップとしても使える大きさのものとする。
【発明の詳細な説明】
【技術分野】
【０００１】本発明はお茶や味噌汁その他の主に飲用等目的のボトル様容器とキャップに関する
［背景技術］【０００２】昨今はお茶を始めさまざまな飲料品がボトルや缶に入れられ販売されている。【０００３】しかし、それらは生産元で初めからお茶等をブレンドして製造販売している為、飲む時は入れ立て出来立ての新鮮さに欠け、特にお茶は緑色でなくなっている。
［発明の開示］
［発明が解決しようとする課題］【０００４】上述の内容を解決すべく飲用時又は使用時にお茶等の混入目的物を水等の液体の入ったボトル様の容器に投入出来るよう隔離する必要がある。【０００５】それには、混入目的物が使用時に確実に投入出来る様にする。そして、収納部をボトル容器等本体に入ってる水等の液体の湿気から隔離し、投入目的物が湿気により固まったり収納部分の素材の微妙な通気性による雑菌の繁殖を防ぐ必要がある。
［課題を解決するための手段］【０００６】混入投下目的物が格納された部分を飲用使用時に、安易に確実に投入出来るようにキャップ等の内部に別室を隔離して設ける。【０００７】上記投入物を受けるボトル等の容器内の水等の液体を、ラミネートしてその素材で格納物質への湿気を遮断させる。【０００８】上述の目的を達成する本発明のキャップ・ボトルは飲用・使用時寸前に混入投下する為常に新鮮に使用出来る。【０００９】ボトル内溶液の湿気からも溶液上部に布設したラミネートにより防御出来る。
［発明の効果］【００１０】以上説明した如く、本発明では飲用寸前に溶材を混入して、受け容器の液体と撹拌する為、新鮮で出来立てであり、お茶は緑色が鮮やかであり、また収納部の素材の微妙な通気性による湿気や雑菌の発生からラミネートシートにより逃れる事が出来る。使用時には押し込み棒付キャップを除き、ボトル本体の残りのラミネートを取り使用すればよい。
［発明を実施する為の最良の形態］【００１１】以下本発明の実施の形態を図面に基づき詳細に説明する。【００１２】図１はボトルとキャップの外観平面図である。同じく図２は内部構造透視平面図である。▲１▼は▲４▼ジャバラ押込部分のカバー兼コップである。▲２▼はボトル内溶液のラミネート止フタである。図１▲３▼はボトル容器上部、上フタ▲１▼の内側は押し込み棒▲５▼を設置した伸縮性のジャバラ部分▲４▼である。▲４▼のジャバラ押し込み部分の上部中央に先の鋭い大小の正三方刃▲５▼を設置した。【００１３】図３は押し込みジャバラ部分のカバー兼コップ図１の▲１▼を取り除いた平面図である。図４は押し込み棒付ジャバラを押し込んだ状態の平面図である。【００１４】図６は▲１▼のキャップを取り除いた時の内部構造透視平面図である。未使用の状態で▲６▼の筒の内部にお茶等の投入目的物▲Ａ▼が内蔵されていて▲７▼のラミネートのシートでふさいでいる。ボトル本体▲３▼の中には水等の溶液▲９▼が入っており、それをラミネートシート▲８▼で密閉する。【００１５】図７は投入目的物▲Ａ▼が収納されている筒状の▲６▼のジャバラの上部を押した状態の平面図である大小正三方の刃▲５▼の作用により密閉シート▲７▼と▲８▼が切開され、混入投下目的物▲Ａ▼のお茶等が▲９▼の溶液に投下される。
［実施例］【００１６】図８はジャバラの押し込み部分に内蔵してある大小３枚の押し込み刃を可能な限り先を鋭くする．▲ロ▼ジャバラの内部のスペースを広く取る為、押し込み刃は大イ３枚とした。しかしジャバラ内部の収納物を密閉するシート、そしてボトル等容器内の水等の溶液を密閉する為のラミネートシートを切開する場合、シワやヨジレ等で開きにくい事がある為▲２▼の大きい刃の各々中間に小さい刃ハを計３枚付け加えニの所まで押し込まれた時点で各々のラミネートシートが大きく開き混入投下目的物が完全にボトルの溶液に落ちるようにした。
［産業上の利用可能性］【００１７】本発明は飲用等の寸前にお茶等を混入して使用する為、入れ立てのお茶を飲める。又ボトル内の溶液の水等を温め、味噌汁も美味しく飲める。又２枚の密閉用ラミネートシートの効用で湿気を防ぎ固まりや雑菌の繁殖も防止できる。
【図面の簡単な説明】
【００１８】
【図１】ボトル本体とキャップの平面図
【図２】本発明の実施の形態に依る構造透視平面図
【図３】ジャバラ押し込み部
【図４】押し込んだ図
【図５】はジャバラ部押し込む前
【図６】は押し込部透視図
【図７】押し込んだ状態の平面図
【図８】は押し込みジャバラ部分に設置されている硬質の刃の斜視透視図
【図９】刃の平面図（Ａ角度）
【図１０】斜視図
【図１１】刃の平面図（Ｂ角度）
【図１２】刃の先の直上からの平面図
【符合の説明】
【００１９】▲１▼  ジャバラ押込部カバー兼コップ
▲２▼  ボトル内溶液密閉用ラミネートシート押さえキャップ
▲３▼  ボトル本体（上部）
▲４▼  押し込み用伸縮ジャバラ部分
▲５▼  押し込みラミネートシート切開用三角刃
▲６▼  混入目的物収納筒
▲７▼  混入目的物密閉用ラミネートシート（切開後）
▲８▼  ボトル内液体密閉用ラミネートシート（切開後）
▲９▼  ボトル内液体
▲Ａ▼  混入投下目的物
ハ  三角硬質刃    小（ラミネート切開用）
イ  三角硬質刃    大（ラミネート切開用）
ニ  三角刃上部押し込み時最終部分
ロ  押し込み刃先
【図１】
2006089127.tif 000003
【図２】
2006089127.tif 000004
【図３】
2006089127.tif 000005
【図４】
2006089127.tif 000006
【図５】
2006089127.tif 000007
【図６】
2006089127.tif 000008
【図７】
2006089127.tif 000009
【図８】
2006089127.tif 000010
【図９】
2006089127.tif 000011
【図１０】
2006089127.tif 000012
【図１１】
2006089127.tif 000013
【図１２】
2006089127.tif 000014
(57)【要約】【目的】  自動車、電気製品、二輪自動車等の、多種多様な形をした部品や滑り抵抗の大きいゴム製品を整列させて正確にカウントする装置を提供する。【構成】  底面を傾斜させ振動装置１をつけたバケット２の下にベルトコンベアー３を設置しバケット２の出口にゲート４を取り付けこの上部に、回転部に細い丸棒を付けた棒撹拌装置５を設置し、ゲート４に近接してガイド６を設置する。ベルトコンベアー３の先端にセンサー１２を固着しプリセットカウンター８とトータルカウンター１０を配置し、カウント完了表示用のパトライト７を取り付ける【選択図】      図１
2006089281.tif 000002
【特許請求の範囲】
【請求項１】
ベルトコンベア上に部品の大きさに底部が開口し、その底部が開口に向かって適度の傾斜を持ち、振動機構と、出口に部品に合わせて広さを調整できるゲートを備えた、部品投入用バケット。
【請求項２】
ゲート付近に部品が滞るのを防止するための撹拌装置。
【請求項３】
ゲートを通過した部品を整列させ、部品に合わせて広さを調整できるガイド。
【請求項４】
数えるべき数値を入力し、その数値に達したとき、振動機構、攪拌機構及びベルトコンベアを停止させ、同時に停止を回転灯などで知らせる、カウント及び表示装置。
【発明の詳細な説明】
【技術分野】
【０００１】  本発明は部品カウント装置に関するものであり、今まで不可能とされていた多種多様の金属或いはゴム部品をカウントする装置である。
【背景技術】
【０００２】  パーツフィーダ等の同形単純な部品を供給したり順送りする装置はあるが多種多様に複雑な形をした部品、特に摩擦抵抗が大きいゴム部品等を、一つの装置で整列、順送りさせてカウントする装置が無い。【０００４】  部品の出荷過程では人の手作業或いは重量計器でその数量をカウントしていたため手間がかかる上、間違いが多い。
【発明の開示】
【発明が解決しようとする課題】
【０００３】  金属製の部品、例えば同寸法のナット等は、バイブレーターなどで容易に整列させる事が可能であるが、複雑な形をした部品や、滑り抵抗の大きいゴム製品等を一列に整列させ、センサーでカウントを可能にし、部品の出荷過程では人の手作業或いは重量計器でその数量をカウントするという煩わしさと不正確さを解決する事を課題とする。
【課題を解決するための手段】
【０００４】  上記目的を達成するために、本発明のカウンター装置では、部品がスムーズにベルトコンベアに載るよう移動方向に沿ってバケットの底面を傾斜させ、その出口に部品に合わせて広さを調整出来るゲートを設け、更にバッケトに横揺れ振動を加えている。【０００５】  ベルトコンベアで運ばれた部品がバケットの出口に溜まるのを解消する為に撹拌装置の回転撹拌棒で押し戻して均す。【０００６】  バケットの出口から個々になった部品はガイドに沿って一列になり、コンベアー先端まで移動して、収納箱へ落下寸前にセンサーでカウントする。【０００７】  数量を確定するためにセンサーと接続されたプリセットカウンターとトータルカウンターを設置する。【０００８】  プリセットで設定した数量になると自動的に装置が停止すると同時にパトライトが点灯、回転してカウントの完了を作業者に知らせる。
【発明の効果】
【０００９】  上記のように、数えたい部品は振動を与えたバケットからコンベアに載ってその大きさに合わせて開かれたバケットの出口に運ばれる。必然的に部品はここに溜まる為、ここで撹拌装置の撹拌棒で滞りをほぐし、この出口に近接した整列用のガイドに沿って、コンベアの先端まで運ばれここに設置されたセンサーで数量計測する。
【発明を実施するための最良の形態】
【００１０】  実施例について図面を参照して説明すると、部品がコンベアに載るように傾斜をつけて開口した底板と振動機構１を持ったバケット２の底部にセンサー側へ移送するベルトコンベアー３を設け、バケット２の出口に個々の部品の大きさに設定出来るゲート４を取り付け、この位置に溜まり防止の戻し撹拌装置５を設置し、品物を一列に保持移送する為に部品の幅に調整出来るガイド６を取り付け、その先端にセンサー１２を設け、通過した部品は収納箱１３に集められ、数量をプリセットカウンター８とトータルカウンター１０の表示部で確認する。予め数えるべき数値をプリセットカウンター８に設定しその数値に達した時、振動機構１及びベルトコンベア３及び撹拌装置５が停止し７のパトライトが点灯回転し作業者に知らせる。繰り返し作業を行う場合はプリセットカウンター８で数値を設定し、リセットスイッチ９を押せば装置が再起動し、同時にパトライトが消灯停止する。又、トータルカウンター１０に総数が積算表示される。
【産業上の利用可能性】
【００１１】  本発明は、以上説明したように一連の流れ装置で作動しているので、以下に記載されるような効果を奏する。【００１２】  振動機能、撹拌機能、整列機能、を備えてているので部品の形状、大きさの違いが有っても正確にカウントする事が出来る。【００１３】  部品をバケットに入れ、プリセットボタンを押すだけで始動して、自動でカウントが出来る。【００１４】  設定数量に達すると自動停止するため、その間は、他の仕事が出来る為、従来のように人が数えた場合の間違いもなくなり不安やストレスが無くなり総じて業務、生産の能率向上に貢献する。
【図面の簡単な説明】
【図１】  カウンター装置の正面の立面図である。
【図２】  カウンター装置のバケット側から見た立面図である。
【符号の説明】
１  振動装置
２  バケット
３  ベルトコンベアー
４  ゲート
５  撹拌装置
６  ガイド
７  パトライト
８  プリセットカウンター
９  プリセットカウンターリセットスイッチ
１０  トータルカウンター
１１  トータルカウンターリセットスイッチ
１２  センサー
１３  収納箱
１４  ベルトコンベアースピードコントローラー
１５  撹拌装置スピードコントローラー
１６  振動装置スピードコントローラー
１７  バケット支持柱
１８  ベルトコンベア駆動部
１９  架台
【図１】
2006089281.tif 000003
【図２】
2006089281.tif 000004
(57)【要約】【課題】  皮膚に疾患を有する人でも、市販されている様々な被服を快適に着用することができる保護被覆材を備えた被服を提供することである。【解決手段】  被服１０の裏面１１が人体に触れないように、前記裏面１１に保護被覆材１を着脱可能に備えており、皮膚に刺激を与えにくい素材で前記保護被覆材１を構成するようにした。  面ファスナー６、７で、被服１０の裏面１１に保護被覆材１を装着するようにした。【選択図】  図４
2006089867.tif 000002
【特許請求の範囲】
【請求項１】
被服の裏面が人体に触れないように、前記裏面に保護被覆材を着脱可能に備えており、皮膚に刺激を与えにくい素材で前記保護被覆材を構成したことを特徴とする被服。
【請求項２】
面ファスナーで、被服の裏面に保護被覆材を装着する請求項１に記載の被服。
【発明の詳細な説明】
【技術分野】
【０００１】
本発明は、アトピー性等の皮膚炎を患っている方が、快適に着用することができる被服に関するものである。
【背景技術】
【０００２】
皮膚に疾患を有する人は、皮膚に優しい素材から成る被服を着用するのが好ましく、このような快適に着用することができる被服が特許文献１に開示されている。特許文献１に開示されている被服は、デザイン性を考慮しているものの、いわば特注品であり、市販されている様々な被服に対応したものではない。
【０００３】
昨今の被服は、様々なデザインや機能等を有したものが多く、皮膚に疾患を有しない人は、好みに応じて自由に選択し着用することができるが、皮膚に疾患を有する人は、快適に着用することができる被服の選択の余地は少ない。
【０００４】
また、学校や職場等の制服は、着用する本人の意志とは無関係に着用が義務付けられているため、皮膚に疾患を有する人は、不快感を軽減するために、下着を余計に着用するなどの工夫が必要であった。
【特許文献１】特開２００１−２４８００６号公報
【発明の開示】
【発明が解決しようとする課題】
【０００５】
そこで本発明では、皮膚に疾患を有する人でも、市販されている様々な被服を快適に着用することができる保護被覆材を備えた被服を提供することを目的としている。
【課題を解決するための手段】
【０００６】
上記課題を解決するため、請求項１の発明では、被服の裏面が人体に触れないように、前記裏面に保護被覆材を着脱可能に備えており、皮膚に刺激を与えにくい素材で前記保護被覆材を構成した。
【０００７】
また、請求項２の発明では請求項１の発明において、面ファスナーで、被服の裏面に保護被覆材を装着するようにした。
【発明の効果】
【０００８】
請求項１の発明では、被服の裏面が人体に触れないように、裏面に保護被覆材を着脱可能に備えたので、容易に保護被覆材を取替えることができ、汗等で汚れたとしても被服から取り外して洗濯することができる。従って、制服等の毎日着用しなければならない被服であっても、毎日、清潔な状態で着用することができる。
【０００９】
また、皮膚に刺激を与えにくい素材で保護被覆材を構成したので、皮膚に疾患を有する人であっても、快適に市販の様々な被服を選択して着用することができる。
【００１０】
請求項２の発明では、面ファスナーで被服の裏面に保護被覆材を装着するようにしたので、被服に対する保護被覆材の着脱が容易になる。従って、市販の様々なデザインや優れた機能を備えた被服の裏面に面ファスナーを装着することにより、皮膚に疾患を有する人であっても、疾患を有しない人と同様に、これらの被服を快適に着用することができる。
【発明を実施するための最良の形態】
【００１１】
図１は、本発明を実施するための保護被覆材１の斜視図である。図１に示すように、保護被覆材１の外面２の腰部４には面ファスナー６のパイル側の布地が縫い付けてあり、裾部５には面ファスナー７のパイル側の布地が縫い付けてある。図１に示すように、保護被覆材１は、外面２に縫い目８を形成している。
【００１２】
図２は、裏返し状態にした図１の保護被覆材１の正面図である。図２に示すように、保護被覆材１の内面３には、凹凸がほとんど形成されていない。この内面３が、皮膚に直接触れる部分である。
【００１３】
図３は、図１及び図２に示す保護被覆材１を装着することができる裏返し状態にしたズボン１０（被服）の正面図である。図３に示すように、ズボン１０の裏面１１には、面ファスナー６及び７のフック側の布地が縫い付けてある。
【００１４】
図４は、図１に示す保護被覆材１を装着した図３のズボン１０の正面図である。図１に示す保護被覆材１の面ファスナー６及び７のパイル側の布地と、図３に示す面ファスナー６及び７のフック側の布地とが結合し、保護被覆材１がズボン１０に装着される。
【００１５】
図４では、保護被覆材１の内面３が露出している状態を示している。図４に示すように、保護被覆材１を装着したズボン１０（被服）は、皮膚と触れる部分がほとんどなくなるため、その素材が化学繊維であったとしても、直に皮膚に触れないため、皮膚に疾患を有する人であったとしても、ズボン１０（被服）を安心して着用することができる。
【００１６】
以上では、被服としてズボン１０を例示したが、同様に、スカートや上半身に着用する被服についても、その被服の形状に合わせて保護被覆材を形成し、装着することができる。保護被覆材を面ファスナーで被服に装着するようにすると、市販の被服に面ファスナー（パイル側、又はフック側）さえ取り付ければ、皮膚に疾患を有する人でも、快適に着用することができ、被服を着用する選択肢が、従来よりも飛躍的に広がる。
【００１７】
また、本人の意志に関わらず着用が義務づけられる制服であっても、保護被覆材を装着することにより、皮膚に疾患を有する人の不快感を解消することができる。さらに、保護被覆材のスペアを用意することにより、取り替えが可能となり、取り替えて洗濯することにより、同じ制服を毎日清潔に着用することができるようになる。
保護被覆材１の素材としては、例えば、コットン、シルク、再生繊維のセルロース系（レーヨン、キュプラ）等を採用することができる。
【００１８】
すべりの良好な素材で保護被覆材１を構成することにより、着心地（肌触り等）のよくない被服の着心地を良好にすることもできる。これにより、機能性に優れるものの、着心地のよくない被服の着心地を良好にして、快適な時間を過ごすことができるようになる。
【００１９】
また、保護被覆材をグローイング仕様にすると、異なるサイズの被服に対して、同一の保護被覆材を装着することができるので、被服のサイズに合わせて、新たに保護被覆材を購入する必要がなく、経済的である。
【図面の簡単な説明】
【００２０】
【図１】本発明を実施するための保護被覆材の斜視図である。
【図２】裏返し状態にした図１の保護被覆材の正面図である。
【図３】図１及び図２に示す保護被覆材を装着することができる裏返し状態にしたズボン（被服）の正面図である。
【図４】図１に示す保護被覆材を装着した図３のズボンの正面図である。
【符号の説明】
【００２１】
１  保護被覆材
２  外面
３  内面
６、７  面ファスナー
１０  ズボン（被服）
１１  裏面
【図１】
2006089867.tif 000003
【図２】
2006089867.tif 000004
【図３】
2006089867.tif 000005
【図４】
2006089867.tif 000006
(57)【要約】      （修正有）【課題】  補助者を要することなく着用者自身で帯を結ぶことが至極簡単に一人で行うことができ、仕上がりが確実で形崩れもしない、使用後の整理、保存が容易な簡易男帯を提供する。【解決手段】  簡易男帯１は、表地のみ縫着して男帯として使用できるようにしたものであり、帯胴体２と結び紐４及び結び紐５で構成したものである。簡易男帯の帯結び部３が帯胴体２で形成し固定されている。【選択図】図２
2006089894.tif 000002
【特許請求の範囲】
【請求項１】
帯結び部を備え付けた簡易男帯である。着用者の胴部に周回状に装着する帯の両端に結び紐を縫着したことを特徴とする簡易男帯びである。
【請求項２】
該簡易男帯の片端側の一方は斜めに整形した長端部に、他方は帯結び部の中央部に結び紐を縫着したことを特徴とする請求項１記載の簡易男帯
【発明の詳細な説明】
【発明の詳細な説明】
【技術分野】
【０００１】  本発明は、従来着付けの難しかった帯の装着を極めて簡単に装着でき、装着後の安定性に優れた簡易男帯に関するものである。
【背景技術】
【０００２】  従来の男帯は、和服を着上げた後に一本の帯で帯結びを行うが、着用する機会の少ない男性かつ初心者にとって鏡に投影した自分の姿を見ながら帯を結ぶことは不可能であり、熟練した補助者が着用者の後部側で手助けしなければならない欠点がある。
【発明が解決しようとする課題】
本発明は上記課題に鑑みなされたもので、その目的とするところは、補助者を要することなく着用者自身が一人で至極簡単に帯を結ぶことができ、仕上がりが確実で形崩れもしない簡易男帯を提供しようとするものである。
【課題を解決するための手段】
【０００３】  上記課題を解決するために本発明では、帯結び部を備え付けた簡易男帯であり、着用者の胴部に周回状に装着する簡易男帯の両端に結び紐を縫着した。
【発明を実施するための最良の形態】
【０００４】  以下に本発明に係る簡易男帯の具体的実施形態を図面を参照して詳細に説明する。図１は本発明の簡易男帯の展開図、図２は簡易男帯の完成表側図、図３は簡易男帯の完成裏側図である。
【実施例１】
【０００５】  以下、本発明の実施例について説明する。
本発明の簡易男帯１は、表地のみ縫着して男帯として使用できるようにしたものであり、図１のように帯胴体２と結び紐４及び結び紐５で構成したものである。結び紐４は帯胴体２の長方形側の端部から約７０ｃｍの位置の縫着部６で縫着固定し、結び紐５は帯胴体２の斜めに整形した長端部の縫着部７で縫着固定する。【０００６】  次に図２は、簡易男帯の完成した表側図を示しており、結び紐４及び結び紐５は表側からは見えないように縫着する。【０００７】  図３は、簡易男帯の完成した裏側図を示しており、結び紐４は帯結びの内側で帯胴体２の縫着部６で縫着固定し、結び紐５は帯胴体２の斜めに整形した長端部の縫着部７に縫着固定する。
【発明の効果】
【０００８】  本発明は簡易男帯であるため、次のような効果を奏する。すなわち、
（１）補助者を要することなく着用者自身で帯結びが至極簡単に行える。
（２）帯胴体に帯結び部を備え付けているため帯結びが不必要である。
（３）帯胴体の両端に結び紐を縫着し着用者の前面で紐結びができる。
（４）使用後の整理、保存が容易にできる。
【図面の簡単な説明】
【図１】本発明に係る本発明の簡易男帯の展開図である。
【図２】本発明に係る本発明の簡易男帯の完成表側図である。
【図３】本発明に係る本発明の簡易男帯の完成裏側図である
【符号の説明】
１    簡易男帯
２    帯胴体
３    帯結び部
４    結び紐
５    結び紐
６    縫着部
７    縫着部
【図１】
2006089894.tif 000003
【図２】
2006089894.tif 000004
【図３】
2006089894.tif 000005
(57)【要約】【課題】型紙やテンプレートを必要とせず、自由なデザインの図柄模様などを布地に描けるようにする。【解決手段】布地１の一方の面に、縦線、横線、斜線および円のいずれか一種以上の案内線２を付す。案内線２が、色の異なるものでもよい。案内線２の線の太さが異なるものでもよい。案内線２が印刷によって付されたものが好ましく、水溶性のインキを用いることが望ましい。【選択図】図１
2006089896.tif 000002
【特許請求の範囲】
【請求項１】
布地の一方の面に、縦線、横線、斜線および円のいずれか一種以上の案内線を付してなる案内線付き布地。
【請求項２】
案内線が、色の異なるものである請求項１記載の案内線付き布地。
【請求項３】
案内線の線の太さが異なるものである請求項１記載の案内線付き布地。
【請求項４】
案内線が印刷によって付されたものである請求項１記載の案内線付き布地。
【請求項５】
案内線が水溶性のインキを用いて付されたものである請求項１記載の案内線付き布地。
【発明の詳細な説明】
【技術分野】
【０００１】  この発明は、裁断などに用いられる布地に関し、その一方の面に種々の形状の案内線を付すことにより、製図、裁断が容易にできるようにしたものである。
【背景技術】
【０００２】  布地を購入し、これを裁断、縫製して自分の好みのファッションの洋服や和服を作成したり、縫いぐるみやパッチワーク、キルティングを作成したりすることは、最近衰退しているとは言え、女性には根強い人気がある。【０００３】  このような手芸、裁縫に際しては、布地に図形模様、裁断線、縫い目線を描くことが必要になる。
しかしながら、この作業にあっては採寸の狂いが生じることがある。また、所望の模様を描くのに、特別の技能を要することもある。【０００４】  このため、例えば型紙を用い、型紙と布地との間に転写紙を挿み、型紙裏面からルレットまたはへらで押さえ付けることにより、型紙に表示されて図柄模様を布地に転写する方法が取られている。また、台紙やプラスティックシートを所望の形状に成形してなるテンプレートを用いて布地に図柄模様を写してゆく方法もある。
しかし、これらの方法は、型紙やテンプレートが必要となること、デザインの自由性が欠しいことなどの問題がある。さらに、転写紙やテンプレートを用いる場合には、ずれが生じ、正しい図柄模様が描けないこともある。
【特許文献１】  特開２０００−１７５６１号公報
【特許文献２】  実開平７−２８６９１号公報
【発明の開示】
【発明が解決しようとする課題】
【０００５】  よって、本発明における課題は、型紙やテンプレートを必要とせず、自由なデザインの図柄模様などを布地に描けるようにすることにある。
【課題を解決するための手段】
【０００６】    かかる課題を解決するため、
請求項１にかかる発明は、布地の一方の面に、縦線、横線、斜線および円のいずれか一種以上の案内線を付してなる案内線付き布地である。
請求項２にかかる発明は、案内線が、色の異なるものである請求項１記載の案内線付き布地である。【０００７】  請求項３にかかる発明は、案内線の線の太さが異なるものである請求項１記載の案内線付き布地である。
請求項４にかかる発明は、案内線が印刷によって付されたものである請求項１記載の案内線付き布地である。
請求項５にかかる発明は、案内線が水溶性のインキを用いて付されたものである請求項１記載の案内線付き布地である。
【発明の効果】
【０００８】    本発明によれば、裁縫線や縫い目線を描く際、案内線を頼りにして直接布地に対してチャコペン（商標）、チャコペル（商標）などを用いて、描き込むことができる。このため、従来の型紙やテンプレートが不要になる。また、自由なデザインを描くことができる。さらに、型紙やテンプレートを用いた場合のずれを生じることがない。
【発明を実施するための最良の形態】
【０００９】  図１は、本発明の布地の一例を示すものである。符号１は、布地を示す。この布地１は、いかなるものでもよく、織物、編物、不織布のいずれでもよく、繊維としては天然繊維、合成繊維、半合成繊維あるいはこれらの混紡繊維などが用いられる。また、適宜の色彩や図形模様などが施されていてもよい。また、その寸法も任意である。【０００９】  この布地１の少なくとも一方の表面には、案内線２、２・・・が付されている。この案内線２には、図示のように、布地の長手方向に対して平行な縦線２１、長手方向に直交している横線２２、長手方向に４５度に斜傾している斜線２３、円状の丸線２４などからなるものである。これらの案内線２は、それぞれ色を異ならせることもでき、また同色とすることもできる。【００１０】  また、その線の間隔、その線幅も任意に設定することができ、例えば線の間隔を１ｍｍとした場合には線幅を０．５ｍｍとし、１ｃｍ目の線の幅を１ｍｍとし、５ｃｍ目の線を１．５ｍｍとすることができる。また、丸線２４では半径の異なる丸線毎に交互に色彩、色調を変えておくこともできる。【００１１】    このような案内線２の布地１に対する付与方法は、通常の印刷版を用いる凸版、凹版、グラビア、スクリーンなどの印刷方法が用いられるが、これ以外に、インクジェット法、レーザープリント法、ドットプリント法などの印刷版を使用しない印刷法によっても可能である。【００１２】  この印刷の際に用いられるインクとしては、水溶性のものが用いられ、布地の洗濯の際に容易に除去できるようにしておくことが好ましい。また、印刷時の布地１上のインクの濃度は、あまり濃いものは好ましくなく、視認できる程度の薄いものとすることが好ましい。
【図面の簡単な説明】
【００１３】
【図１】本発明の案内線付き布地の一例を示す概略平面図である。
【符号の説明】
【０００３】  １・・・布地、２・・・案内線
【図１】
2006089896.tif 000003
(57)【要約】【課題】時間とコストをかけず、通常生活を実施する中で、健康とダイエットを可能とするエプロンを提供する。【解決手段】エプロンの肩掛け部分をストレッチゴムにする事で、背筋を伸ばし、背中の肉、二の腕を引き締める。過剰な時間やコストが不要で、お洒落な格好でダイエットが可能となる。【選択図】  図１
2006089897.tif 000002
【特許請求の範囲】
【請求項１】
エプロンの肩掛け部分を、ストレッチゴムにした、健康ダイエットを可能とするエプロン。
【発明の詳細な説明】
【技術分野】
【０００１】この発明は、エプロンの肩掛け部分をストレッチゴムにした、健康ダイエット用品である。
【背景技術】
【０００２】タスキを着用する事により、背筋が伸び、健康面でもダイエット面でも効果があることは、知られている。
【発明の開示】
【発明が解決しようとする課題】
【０００３】これまでのダイエット用品では以下の切実な問題があった
１）上記、タスキの原理は知られているものの、現代において実生活の中で活用する事はあまりない
２）ダイエット用品を購入してのダイエットは、コスト／時間の両面でロスが多い
３）従来のダイエット用品は、生活上必須となる行動とは別に、特別なエクササイズを要する物が多く、長続きしない
【課題を解決するための手段】
【０００４】タスキの効能を活用すべく、エプロンの肩掛けをストレッチゴムにする事で、タスキをつけている状態と同じ効果を享受できる。
【発明の効果】
【０００５】主婦の炊事は平均して２時間（日）程度と、かなりの時間を要すると推測され、肩こりを誘発する。
この生活上必須となる炊事の時間で、必ず出費するエプロン代を活用し、有意義なダイエットを可能とする「背中・二の腕スッキリエプロン」を考案した。
エプロンの肩掛け部分をストレッチゴムにする事で、上半身をスッキリ伸ばし肩こりを抑制し、背中のお肉、二の腕のたるみを引き締める効果がある。
発明者自身も試作品で試行したが、大変効果があった。
【発明を実施するための最良の形態】
【０００６】「背中・二の腕スッキリエプロン」を頭からかぶり、腕を通す。
【図面の簡単な説明】
【０００７】
【図１】正面図
【図２】背面図
【符号の説明】
【０００８】
【図１】
2006089897.tif 000003
【図２】
2006089897.tif 000004